【事件の表示】
　特願２００２−３６０６９４「プラスチック基板およびそれを備える液晶表示装置」拒絶査定不服審判事件〔平成１６年　７月　８日出願公開、特開２００４−１９１７３４〕について、次のとおり審決する。
【結　論】
　本件審判の請求は、成り立たない。
【理　由】
１．手続の経緯・本願発明
　
（１）手続の経緯
　本願は、平成１４年１２月１２日の出願であって、平成１９年６月２８日に手続補正がなされ、同年８月１６日付けで拒絶査定がなされ、これに対し、同年９月１９日に拒絶査定不服審判が請求され、同年１０月１８日に手続補正がなされたものである。 
　  
（２）本願発明
　本願の請求項１乃至５に係る発明は、平成１９年１０月１８日付けの手続補正書によって補正された明細書及び図面の記載からみて、その特許請求の範囲の請求項１乃至５に記載されたとおりのものであるところ、請求項１に係る発明（以下「本願発明」という）は、次のものと認める。
　
「光学機器用のプラスチック基板であって、　
　繊維が樹脂マトリクス中に埋設された複合基板を有し、前記繊維は前記複合基板の基板面内において互いに略直交する２つの方向に配列されており、　
　前記複合基板は、可視光を実質的に透過し、面内のリタデーションは実質的に零であり、負の一軸異方性を有する、プラスチック基板。」
　
２．刊行物の記載事項
　
　原査定の拒絶の理由に引用された、本願の出願前に頒布された刊行物である特開２００１−１３３７６１号公報（以下「引用例」という。）には、図面とともに次の事項が記載されている。
　
（１）「【請求項１】内部に線状あるいは帯状の繊維が互いに隔てられて埋め込まれたプラスチック層の少なくとも一方の面に電極が形成されてなる第１基板と、前記第１基板の電極が形成された面と対向して設けられ前記第１基板との対向面に透明電極が形成された透明層を備える第２基板と、前記第１基板と第２基板との間に設けられた液晶層とを少なくとも備えることを特徴とする液晶表示素子。」
　
（２）「【００２５】さらに第１基板においては、埋め込まれた繊維は、織られたり、繊維同士が直接重なったり直接交差した状態ではなく、線状あるいは帯状の繊維同士が互いに離れた状態でプラスチック層内に埋め込まれる。そのため従来技術の如くの樹脂を含浸させた繊維布を含む積層層を基板として用いた場合において基板表面に生じる繊維布の織目や重なり目に起因した凹凸が生じず、また面内の屈折率の変化も抑えられ液晶表示素子の画質が劣化が抑えられる。」
　
（３）「【００３８】前記第１基板は、プラスチック基板特有の軽量さという特徴を有しながら、埋め込まれた繊維の熱、吸湿による変形が非常に小さいため、熱変形や吸湿変形が非常に小さくなる。また、基板全体としての機械的強度が高くなる。」　
　
（４）「【００４３】上記液晶表示素子が透過型液晶表示素子として用いられる場合には、基板１０も透明である必要があり、基板１０を構成するプラスチック層１１、内部に埋め込まれる繊維１２及び電極１３として透明材料が用いられる。」
　
（５）「【００４８】まず第１の構成における第１基板について説明する。前記第１基板は内部に線状あるいは帯状の繊維が互いに隔てられて埋め込まれたプラスチック層の一方の面に電極が形成されてなるものである。前記第１基板においては前記繊維は、織布あるいは不織布など、繊維が織られたり、繊維同士が直接重なったり交差した状態ではなく、線状あるいは帯状の繊維同士が互いに離れた状態でプラスチック層内に埋め込まれる。さらに前記繊維はプラスチック層の外に露出しないことが望ましい。これにより基板表面における微小な凹凸の発生を抑え、画質の劣化を低く抑える。
【００４９】前記第１基板におけるプラスチック層の材料としては、エポキシ樹脂、アクリル樹脂、ポリイミド樹脂、アラミド樹脂等を挙げることができ、耐熱性が必要とされる場合にはポリイミド樹脂、あるいはアラミド樹脂などを用いることが望ましい。
【００５０】前記プラスチック層の内部に埋め込まれる繊維は、その断面が、円形、楕円形、あるいは多角形の線状の繊維、あるいは長方形、偏平な楕円形等の帯状繊維が挙げられる。箔状の材料をエッチングしたものでも良い。この場合には画素とエッチングされた孔と孔の間のピッチを合わせることにより光の透過率を大きくとることができる。
【００５１】前記プラスチック層の内部に埋め込まれる繊維の径又は幅は０．０１ｍｍ〜０．１ｍｍの範囲であることが望ましい。前記繊維の径又は幅が大きすぎると基板が厚くなりまた表面が不均一になり平坦性が劣化する恐れがあり、小さすぎると機械的強度が劣化する恐れがある。このため基板表面の配線パターンの断線等が発生する恐れがある。
【００５２】前記繊維を構成する材料としては、カーボン、ガラス、石英等の線状の前記プラスチック層よりも熱膨張係数の少ない材料からなることが、第１基板の熱膨張係数を抑え、熱変形や吸湿変形を低く抑える点で望ましい。特にカーボン繊維は熱膨張係数が少なく望ましい。また前記第１基板が透明基板である場合には、ガラス、石英等の透明材料を用いる必要がある。
【００５３】次に第１の構成における第２基板について説明する。第２基板は透明電極が形成された透明層を備えるものである。第２基板は少なくとも透明基板である必要があり、ガラス、アクリル系樹脂、ポリカーボネート、ポリエチレンなどの絶縁性の透明材料から成る層にＩＴＯ等の透明電極が形成されたものを挙げることができる。また前記透明層は内部に繊維が埋め込まれたものであってもよい。」
　
（６）「【００８８】まず、プラスチック層の内部には、例えば図３に示すように繊維の列からなる層が複数層、より好ましくは３層以上埋め込まれていることが基板の膨張を抑える上で望ましい。しかし単層であってもよい。
【００８９】図３は上記第１の構成、第２の構成、第３の構成、第４の構成の第１基板に係るプラスチック層の一例を示す断面図である。
【００９０】プラスチック層３１には１段目の繊維３２が複数本プラスチック層３１の平坦面とほぼ平行に、方向をそろえて埋め込まれている。次にプラスチック層３１の平坦面とほぼ平行にかつ１段目の繊維３２と平行な方向に２段目の繊維３３が複数本方向をそろえて埋め込まれている。更に２段目の繊維３３と平行な方向に３段目の繊維３４が複数本方向を揃えて埋め込まれている。
【００９１】また、プラスチック層に繊維の列からなる層が複数層埋め込まれている場合、例えば図４に示すように各層の繊維の方向が異なっている方が、基板の膨張を抑え、強度を向上する上で望ましい。
【００９２】図４は上記第１の構成、第２の構成、第３の構成、第４の構成の第１基板に係るプラスチック層の一例を示す断面図である。
【００９３】プラスチック層４１には１段目の繊維４２が複数本プラスチック層４１の平坦面とほぼ平行に、方向をそろえて埋め込まれている。次にプラスチック層４１の平坦面とほぼ平行にかつ１段目の繊維４２と垂直な方向に２段目の繊維４３が複数本方向をそろえて埋め込まれている。更に垂直な方向に３段目の繊維４４が複数本方向を揃えて埋め込まれている。
【００９４】また、プラスチック層の辺の方向と繊維の方向は図３、図４に示すように平行あるいは垂直であってもよいし、図５に示すように、プラスチック層の辺の方向と平行あるいは垂直でなくともよい。
【００９５】図５は上記第１の構成、第２の構成、第３の構成、第４の構成の第１基板に係るプラスチック層の一例を示す平面図である。プラスチック層５１には繊維５２の列が複数段にわたって埋め込まれており、基板の辺の方向と５２方向は約４５度を成している。
【００９６】基板上に設けられた配線と、基板に埋め込まれる繊維は、配線と約４５度を成したり、配線と平行あるいは垂直に配置されることが素子の応力分布を均一にするため望ましい。
【００９７】それらの角度以外であると方向により基板が変形したときの応力分布が異なり配線の応力が異なるためにＴＦＴが形成される場合、ＴＦＴ特性の不均一が発生する。また、応力により基板が変形し、配線の曲がり等が発生する。」
　
（７）上記（１）乃至（６）からみて、引用例には、　
「第１基板と第２基板との間に液晶層を設けた透過型液晶表示素子の第１基板であって、プラスチック層の材料が、エポキシ樹脂、アクリル樹脂、ポリイミド樹脂、アラミド樹脂等であり、繊維を構成する材料が、ガラス、石英等の線状で熱による変形が非常に小さいものであり、前記プラスチック層の内部に、前記繊維同士が互いに離れた状態で列からなる層として複数層埋め込まれ、かつ、プラスチック層には１段目の繊維が複数本プラスチック層の平坦面とほぼ平行に、方向をそろえて埋め込まれており、プラスチック層の平坦面とほぼ平行に、かつ、１段目の第１の繊維と垂直な方向に２段目の繊維が複数本方向をそろえて埋め込まれている第１基板。」
の発明（以下「引用発明」という。）が記載されているものと認められる。
　
３．対比
　
（１）引用発明の「プラスチック層」、「繊維」及び「透過型液晶表示素子」は、それぞれ、本願発明の「樹脂マトリクス」、「繊維」及び「光学機器」に相当する。
　
（２）引用発明の「第１基板」は、プラスチック層に繊維を埋め込んだものであるから、本願発明の「プラスチック基板」に相当する。
　
（３）引用発明の「プラスチック基板」は、「プラスチック層の内部に繊維同士が互いに離れた状態で列からなる層として複数層埋め込まれ」た基板であるから、本願発明の「繊維が樹脂マトリクス中に埋設された複合基板」に相当する。よって、引用発明は本願発明の「複合基板を有し」との事項を備えている。
　
（４）引用発明の「プラスチック層には１段目の繊維が複数本プラスチック層の平坦面とほぼ平行に、方向をそろえて埋め込まれており、プラスチック層の平坦面とほぼ平行に、かつ、１段目の繊維と垂直な方向に２段目の繊維が複数本方向をそろえて埋め込まれている第１基板」との事項は、本願発明の「前記繊維は前記複合基板の基板面内において互いに略直交する２つの方向に配列されており」との事項に相当する。
　
（５）透過型液晶表示素子は、可視光を実質的に透過するものであるから、引用発明の「透過型液晶表示素子の第１基板」は可視光を実質的に透過するものであることが、当業者に自明である。
　
（６）以上（１）乃至（５）から、本願発明と引用発明とは、
「光学機器用のプラスチック基板であって、繊維が樹脂マトリクス中に埋設された複合基板を有し、前記繊維は前記複合基板の基板面内において互いに略直交する２つの方向に配列されており、前記複合基板は、可視光を実質的に透過する、プラスチック基板。」
の点で一致し、次の点で相違する。
　
相違点：
　前記複合基板が、本願発明においては、「面内のリタデーションは実質的に零であり、負の一軸異方性を有する」のに対して、引用発明においては、そのようなものか否かが明らかではない点。
　
４．判断
　上記相違点について検討する。
　
（１）フイルム面に平行な方向の屈折率がフイルム厚み方向の屈折率より大きく、かつ、フイルム面に平行な方向の屈折率異方性が殆ど無い負の一軸性を有するフイルムを、一方のフイルム基板とした液晶表示素子は、本願出願前に周知である（例：特開平６−２１４２２３号公報（【請求項１】、段落【００２５】，【００２６】，【００２８】、図６−８を参照。）、特開平２−２４２２２５号公報（２頁右上欄１６行−３頁左上欄１７行を参照。））。
（２）引用発明は、液晶表示素子の一方の基板であって、「複合基板」でかつ「プラスチック基板」であるところ、引用発明に上記（１）の周知技術を採用して、引用発明を「フイルム面に平行な方向の屈折率がフイルム厚み方向の屈折率より大きく、かつ、フイルム面に平行な方向の屈折率異方性が殆ど無い負の一軸性を有する」すなわち、「複合基板は、可視光を実質的に透過し、面内のリタデーションは実質的に零であり、負の一軸異方性を有する」ものとすることは、上記周知技術に基づいて、当業者が容易に想到することができたものである。
　
（３）効果
　そして、本願発明の奏する効果は、引用発明の効果及び上記周知技術の効果から当業者が予測できた程度のものである。
　
（４）まとめ
　以上の検討によれば、本願発明は、引用発明及び上記周知技術に基いて当業者が容易に発明をすることができたものである。
　
５．むすび 
　
　したがって、本願発明は、引用例に記載された発明及び周知技術に基いて当業者が容易に発明をすることができたものであるから、特許法２９条２項の規定により、特許を受けることができない。
　
 　よって、結論のとおり審決する。